(57)【要約】【課題】組立作業を容易に行えるようにしながら梱包寸法をより一層小型化したエアコン置台を提供すること。【解決手段】前後一対の横フレーム２０と、左右一対の縦フレームと、支柱と、前後一対の横フレーム２０間に渡って取り付けられる左右一対のベースフレーム５０とを備える。そして、ベースフレーム５０が端部において横フレーム２０に対し、鉛直方向の中心軸を備えた軸体、具体例としては六角ボルト５１、により回動自在に保持される。また、縦フレームと支柱とは、ベースフレーム５０が横フレーム２０に取り付けられている状態において、横フレーム２０に対し着脱自在に組付けられている。さらに、ベースフレーム５０と横フレーム２０とは、ベースフレーム５０が横フレーム２０の長手方向に摺動自在に保持されるとともに六角ボルト５１を軸体として回動可能に保持されており、小型に折り畳んで梱包される。【選択図】図３
2010145004.tif 000002
【特許請求の範囲】
【請求項１】
前後一対の横フレームと、左右一対の縦フレームと、横フレームと縦フレームの結合部を支持する支柱と、前後一対の横フレーム間に渡って取り付けられる左右一対のベースフレームとを備えるとともに、ベースフレームが端部において横フレームに対しボルトにより取り付けられたエアコン置台であって、
横フレームは、前記ボルトの頭部を回転不能かつ長手方向に摺動自在に収納するための、長手方向に延びる中空状溝部と、前記ボルトのねじ部を外部に突出させるための、中空状溝部の壁面に形成されたスリットとを備え、
前記ボルトは、ねじ部が前記スリットから外部に突出するよう頭部が中空状溝部に収納され、
ベースフレームと横フレームとは、前記ボルトにより取り付けられた状態において、ベースフレームが前記ボルトを介して横フレームの長手方向に摺動自在に保持されるとともに鉛直方向の中心軸を備えた軸体により回動自在に保持される仮組み状態可能に形成されている
ことを特徴とするエアコン置台。
【請求項２】
前記横フレームは、長手方向を押し出し方向とした押出型材からなり、中空状溝部及びスリットが長手方向に縦貫するように形成されていることを特徴とする請求項１記載のエアコン置台。
【請求項３】
前記スリットは中空状溝部の上面に形成されるとともに、前記ボルトは、ねじ部が中空状溝部から上方に突出するように収納され、さらに、前記ベースフレームは、このボルトを前記軸体として横フレームに対し回動自在に保持されていることを特徴とする請求項２記載のエアコン置台。
【請求項４】
前記横フレームは、中空状溝部の下部に略方形断面形状の筒状部が形成され、この筒状部において、横フレームに対し縦フレームと支柱とを取り付けるためのコーナブラケットが取り付けられていることを特徴とする請求項２又は３記載のエアコン置台。
【請求項５】
前記横フレームは、中空状溝部の端部に前記ボルトの脱落を防止するためのストッパが設けられていることを特徴とする請求項２〜４の何れか１項に記載のエアコン置台。
【請求項６】
前記ストッパは、横フレームの中空状溝部に対し挿入されて取り付けられる別体物であって、挿入の際に中空状溝部を構成する壁部と係合するように構成されていることを特徴とする請求項５記載のエアコン置台。
【請求項７】
前記横フレームに対しベースフレームが仮組みされた状態物は、一対のベースフレームの間隔を横フレームの端部まで押し広げるときに、前記ストッパによりベースフレームの脱落が防止されるとともに組付け完了時と同一の長方形状に広げられ、さらに、前記ストッパとベースフレームとの間にはベースフレームをその位置に仮止めする仮止め機構が形成されていることを特徴とする請求項５又は６記載のエアコン置台。
【請求項８】
前記ストッパは、横フレームの中空状溝部を構成する壁部の一部を内側に突出させてボルトの頭部が端部から脱落することを防止するように構成されたものであることを特徴とする請求項５記載のエアコン置台。
【請求項９】
前記コーナブラケットは、支柱に固定される基部と、基部から左右方向の内向きに突出する、横フレームを取り付けるための横フレーム支持部とを備え、
この横フレーム支持部は、横フレームの筒状部に挿入されて結合されていることを特徴とする請求項４〜８の何れか１項に記載のエアコン置台。
【請求項１０】
前記コーナブラケットは、基部から前後方向の内向きに突出する縦フレームを取り付けるための縦フレーム支持部を備えていることを特徴とする請求項４〜９の何れか１項に記載のエアコン置台。
【請求項１１】
前記コーナブラケットの基部は、支柱を鉛直方向にスライド自在に挿入する環状壁部と、この環状壁部において高さ方向のスリットを有するスリット部が形成され、さらに、このスリット部において環状壁部からスリットの間隔を維持して略直交状に突出する一対の対向する締結片が形成され、
前記コーナブラケットは、締結部材により一対の締結片間の間隔寸法を狭めるように締め付けられることにより、環状壁部において支柱と結合されることを特徴とする請求項４〜１０の何れか１項に記載のエアコン置台。
【請求項１２】
前記コーナブラケットの一対の締結片は、環状壁部から前後方向の内向きに突出するように形成され、縦フレーム支持部として兼用されていることを特徴とする請求項１１記載のエアコン置台。
【請求項１３】
前記縦フレームは、上壁、下壁及び側壁からなる断面コ字状に形成されるととともに、前記コーナブラケットの締結片を外側から覆うように組み合わされるとともに、締結片を締め付ける締結部材により共締めされていることを特徴とする請求項１２記載のエアコン置台。
【請求項１４】
請求項１又は請求項２の何れか１項に記載エアコン置台において、縦フレームと支柱とを横フレームから取り外すとともに、ベースフレームと横フレームとを仮組み状態物とし、鉛直方向の中心軸を備えた軸体により横フレームに対しベースフレームを回転させるとともに、前記ボルトを横フレームの中空状溝部内において摺動させることにより、前後一対の横フレームを対向状態で近接するように前記仮組み状態物を折り畳み、この仮組み状態物を他の収納物とともに梱包ケースの内部に収納することを特徴とするエアコン置台の梱包方法。
【請求項１５】
請求項３〜１３の何れか１項に記載エアコン置台において、前記縦フレームと支柱とを横フレームから取り外すとともに、横フレームに対し前記ボルトによりベースフレームを半締め状態に締め付けて、ベースフレームと横フレームとを仮組み状態物とし、前記ボルトを鉛直方向の中心軸を備えた軸体として横フレームに対しベースフレームを回転させるとともに、前記ボルトを横フレームの中空状溝部内において摺動させることにより、前後一対の横フレームを対向状態で近接するように前記仮組み状態物を折り畳み、この仮組み状態物を他の収納物とともに梱包ケースの内部に収納することを特徴とするエアコン置台の梱包方法。
【発明の詳細な説明】
【技術分野】
【０００１】
本発明は、エアコン室外機を地面等の比較的平らな基礎面に設置する場合に据付台として使用されるエアコン置台に関し、特に仮組み出荷時の梱包スペースの縮小化を可能としたエアコン置台に関する。
【背景技術】
【０００２】
一般に、エアコン室外機を地面等の比較的平らな基礎面に設置する場合の据付台として使用されるエアコン置台は、長尺の横フレームと短尺の縦フレームとが組み合わされた平面視長方形の水平枠部材と、水平枠部材の四隅から下方に延出される支柱と、水平枠部材に取り付けられるベースフレームとが組み合わされて構成されている。また、このようなエアコン置台は、現地で組み合わされる組付け作業の簡略化と、梱包サイズの縮小化のための工夫がなされている。
【０００３】
その一例として、特許文献１に記載のものがある。これを図１７及び図１８に基づき以下説明する。なお、以下の従来技術の説明において括弧内に記載した名称は、特許文献１記載の名称を示す。特許文献１のエアコン置台（据付け台）は、図１７に示すように、前後一対の横フレーム（横材）１１１と左右一対の縦フレーム（縦材）１１２とが突き合わされて平面視長方形に形成された水平枠部材（エアコン支持枠）１１０と、水平枠部材１１０の四隅から下方に延出される４本の支柱１２０とを備えている。また、水平枠部材１１０の上方には、横フレーム１１１間に架け渡されるように取り付けられる左右一対のベースフレーム１３０が取り付けられている。
【０００４】
水平枠部材１１０は、図１７に示すように、横フレーム１１１と縦フレーム１１２との突合せ部において、エアコン載置面に略直角な軸体１１３により横フレーム１１１と縦フレーム１１２とを回動可能に連結して仮組み可能な構造とされている。また、水平枠部材１１０は、図１８（ｂ）及び（ｃ）に示すように、エアコン載置面に平行な面内において平行移動的に折り畳み、直線状にまで折り畳み可能に形成されている。また、支柱（脚材）１２０は、横フレーム１１１に対し回動自在に連結される仮組み構造可能に形成されており、図１８（ｃ）に示すように、水平枠部材１１０と共に折り畳み可能に構成されている。
【０００５】
このように構成された従来のエアコン置台は、梱包する場合には、図１８（ａ）に示すように、先ずベースフレーム１３０が除去された状態に形成される。次いで、図１８（ｂ）に示すように、各支柱１２０は、連結されている横フレーム１１１の垂直部に対し、組付け状態時に鉛直方向に位置する平面部が重なるように折り畳まれて、横フレーム１１１に重ねられる。そして、図１８（ｂ）に示す矢印の方向に力が加えられ、図１８（ｃ）に示すように水平枠部材１１０がエアコン載置面に平行な面内おいて平行移動により直線状に折り畳まれる。具体的には、横フレーム１１１が側方に移動した状態で突き合わされる。このとき、両側の縦フレーム１１２が横フレーム１１１の一端側に連結され、横フレーム１１１の上下の水平部材間に嵌まるように折り畳まれる。なお、組立の際は、上記梱包のときとは逆の方向に拡げる作業が行なわれ、横フレーム１１１、縦フレーム１１２、支柱１２０及びベースフレーム１３０の結合部がそれぞれ固定されることにより、図１７のような状態に組み立てられてエアコン置台として使用される。なお、上記構成において、エアコン置台が２段用として構成される場合には、支柱１２０の長さが長くなり支柱１２０を折り畳むことができなくなるため、この場合には支柱１２０が取り外される構造となっている。
【特許文献１】特開２００６−１７４３９号公報
【発明の開示】
【発明が解決しようとする課題】
【０００６】
しかしながら、上記従来のエアコン置台は、水平枠部材１１０の四隅において横フレーム１１１と縦フレーム１１２との突合せ部を単純な回動可能な構造とし、前後の横フレーム１１１を平行移動させて互いの間隔を狭めて直線状に折り畳んでいる。このため、折り畳んだ状態の長さが、横フレーム１１１の長さと縦フレーム１１２の長さとを加算した長さに略等しくなり、梱包寸法が依然として大きいという問題があった。
【０００７】
本発明は、このような背景に基づきなされたものであって、その目的は、組立作業を容易に行えるようにしながら梱包寸法をより一層小型化したエアコン置台を提供することにある。
【課題を解決するための手段】
【０００８】
上記目的を達成するために、本発明に係るエアコン置台は、前後一対の横フレームと、左右一対の縦フレームと、横フレームと縦フレームの結合部を支持する支柱と、前後一対の横フレーム間に渡って取り付けられる左右一対のベースフレームとを備えるとともに、ベースフレームが端部において横フレームに対しボルトにより取り付けられたエアコン置台であって、横フレームは、前記ボルトの頭部を回転不能かつ長手方向に摺動自在に収納するための、長手方向に延びる中空状溝部と、前記ボルトのねじ部を外部に突出させるための、中空状溝部の壁面に形成されたスリットとを備え、前記ボルトは、ねじ部が前記スリットから外部に突出するよう頭部が中空状溝部に収納され、ベースフレームと横フレームとは、前記ボルトにより取り付けられた状態において、ベースフレームが前記ボルトを介して横フレームの長手方向に摺動自在に保持されるとともに鉛直方向の中心軸を備えた軸体により回動自在に保持される仮組み状態可能に形成されていることを特徴とする。
【０００９】
このような構成上の特徴を備えた本発明に係るエアコン置台によれば、横フレームとベースフレームとは、ベースフレームの端部が横フレームの長手方向に摺動自在で、かつ鉛直方向の中心軸を備えた軸体によりエアコン載置面と平行な平面上において回動自在に保持される仮組み状態物に形成することができる。したがって、前記軸体を中心としてベースフレームの端部を回動させることにより、一対の横フレームの相互間隔を最小とするように前記仮組み状態物を折り畳むことができる。また、ベースフレームの端部を横フレームの長手方向に摺動させることにより、横フレームの端部の位置を揃える方向に前記仮組み状態物を変形させることができる。このようにして、一対のベースフレームと一対の横フレームとの仮組み状態物を小型化して梱包ケースに収納することができ、その周囲空間部に支柱、ベースフレームに取り付けられる絶縁防振材等を収納し梱包寸法を小型化することができる。また、ボルトの頭部が横フレームの中空状溝部内に回転不能とするとともに、中空状溝部の壁面に形成されたスリットからボルトのねじ部を外部に突出させるように形成されているので、このボルトを横フレーム内において摺動自在に容易に保持することができる。
【００１０】
また、このように構成されたエアコン置台において、前記横フレームは、長手方向を押し出し方向とした押出型材からなり、中空状溝部及びスリットが長手方向に縦貫するように形成されていることが好ましい。このように構成すれば、横フレームは、長手方向に中空状溝部及びスリットが形成された構造部でありながら、必要な強度を維持することができる。
【００１１】
また、前記スリットは中空状溝部の上面に形成されるとともに、前記ボルトは、ねじ部が中空状溝部から上方に突出するように収納され、さらに、前記ベースフレームは、このボルトを前記軸体として横フレームに対し回動自在に保持されていることが好ましい。このようにすると、ベースフレームを取り付けるボルトを軸体としてベースフレームを回転することができるので構造が簡略化される。また、このボルトによりベースフレームを上方から取り付けることができるので、ベースフレームの取付作業が簡単になる。また、横フレームに対するベースフレームの回動及び摺動を横フレームの上面で行うことができるので、回動及び摺動を円滑に行うことができる。
【００１２】
また、前記横フレームは、中空状溝部の下部に略方形断面形状の筒状部が形成され、この筒状部において、横フレームに対し縦フレームと支柱とを取り付けるためのコーナブラケットが取り付けられていることが好ましい。このように構成すると、筒状部により横フレームの強度を向上させることができ、中空状溝部の上面を平面状に形成することができる。これにより、横フレームの上面に取り付けられるベースフレームの回転や移動を円滑に行うことができる。
【００１３】
また、このような構造の横フレームにおいて、中空状溝部の端部に前記ボルトの脱落を防止するためのストッパが設けられていることが好ましい。このように構成すれば、梱包時の作業及び開梱後の組み付け作業においてボルトの脱落が防止され、安心して作業を行うことができ、作業性を向上させることができる。
【００１４】
また、前記ストッパは、横フレームの中空状溝部に対し挿入されて取り付けられる別体物であって、挿入の際に中空状溝部を構成する壁部と係合するように構成されていることが好ましい。このように構成すれば、ベースフレームがストッパに当接したときにストッパ自体の脱落を防止することができる。
【００１５】
また、前記横フレームに対しベースフレームが仮組みされた状態物は、一対のベースフレームの間隔を横フレームの端部まで押し広げるときに、前記ストッパによりベースフレームの脱落が防止されるとともに組付け完了時と同一の長方形状に広げられ、さらに、前記ストッパとベースフレームとの間にはベースフレームをその位置に仮止めする仮止め機構が形成されていることが好ましい。このように構成すれば、一対のベースフレームの間隔を、ベースフレームが横フレームの端部に位置するまで押し広げたときに、ストッパによりベースフレームの脱落が防止されるとともに組付け完了時と同一の形状の長方形状に広げられる。また、ストッパとベースフレームとの間には、このように長方形状に広げられたときに、ベースフレームをその位置に仮止めする仮止め機構が形成されている。したがって、このときに、ベースフレームの間隔を押し広げる力を緩めたり、その手をベースフレームから離してもこの長方形状が維持される。このため、支柱をコーナブラケットの環状壁部に挿入したり、縦フレームをコーナブラケットの縦フレーム支持部に取り付けたりする作業が容易になる。
【００１６】
また、前記ストッパは、上記のような別体物ではなく横フレームの中空状溝部を構成する壁部の一部を内側に突出させてボルトの頭部が端部から脱落することを防止するように構成されたものであるようにしてもよい。このようにすれば、簡単な構成でストッパを形成することができる。
【００１７】
また、前記コーナブラケットは、支柱に固定される基部と、基部から左右方向の内向きに突出する、横フレームを取り付けるための横フレーム支持部とを備え、この横フレーム支持部は、横フレームの筒状部に挿入されて結合されていることが好ましい。このように構成すれば、コーナブラケットの横フレーム支持部が横フレーム内に収納されるので見栄えが良好になるとともに、横フレームとコーナブラケットとの結合強度を向上させることができる。
【００１８】
また、前記コーナブラケットは、基部から前後方向の内向きに突出する縦フレームを取り付けるための縦フレーム支持部を備えていることが好ましい。このよう構成すれば、横フレームに対しベースフレームとコーナブラケットとが取り付けられた状態で縦フレームを着脱自在に取り付けることができる。
【００１９】
また、前記コーナブラケットの基部は、支柱を鉛直方向にスライド自在に挿入する環状壁部と、この環状壁部において高さ方向のスリットを有するスリット部が形成され、さらに、このスリット部において環状壁部からスリットの間隔を維持して略直交状に突出する一対の対向する締結片が形成され、前記コーナブラケットは、締結部材により一対の締結片間の間隔寸法を狭めるように締め付けられることにより、環状壁部において支柱と結合されることが好ましい。このように構成すると、横フレームに取り付けられたコーナブラケットの環状壁部内に支柱を挿入して、締結片間に架け渡された締結部材を締結することにより、ベースフレームが取り付けられた横フレームに対し、コーナブラケットを介し支柱を容易に取り付けることができる。また、この締結部材を緩めることにより、コーナブラケットが横フレームに取り付けられた状態のまま、コーナブラケットから支柱を容易に取り外すことができる。
【００２０】
また、この場合において、前記コーナブラケットの一対の締結片は、環状壁部から前後方向の内向きに突出するように形成され、縦フレーム支持部として兼用されていることが好ましい。このように構成すれば、ベースフレームが取り付けられた横フレームに対し、コーナブラケットを介し縦フレーム及び支柱を容易に取り付けたり、取り外したりすることができる。また、支柱を取り付けるための機構と縦フレームを取り付けるための縦フレーム支持部とが兼用されるので構造が簡略化される。
【００２１】
また、前記縦フレームは、上壁、下壁及び側壁からなる断面コ字状に形成されるととともに、前記コーナブラケットの締結片を外側から覆うように組み合わされるとともに、締結片を締め付ける締結部材により共締めされていることが好ましい。このように構成すると、ベースフレームが取り付けられた横フレームに対する縦フレーム及び支柱の取付部材が簡略化されるとともに、単一の締結部材の締付又は弛緩作業により縦フレームと支柱との取付け又は取外しを行うことができる。また、この取付け又は取外し作業をエアコン置台の外側から行うことができるので作業が容易になる。
【００２２】
また、本発明に係るエアコン置台の梱包方法は、ベースフレームが端部において横フレームに対しボルトにより取り付けられ、横フレームが、前記ボルトの頭部を回転不能かつ長手方向に摺動自在に収納するための、長手方向に延びる中空状溝部と、前記ボルトのねじ部を外部に突出させるための、中空状溝部の壁面に形成されたスリットとを備え、前記ボルトは、ねじ部が前記スリットから外部に突出するよう頭部が中空状溝部に収納され、ベースフレームと横フレームとは、前記ボルトにより取り付けられた状態において、ベースフレームが前記ボルトを介して横フレームの長手方向に摺動自在に保持されるとともに鉛直方向の中心軸を備えた軸体により回動自在に保持される仮組み状態可能に形成されている前述のエアコン置台において、縦フレームと支柱とを横フレームから取り外すとともに、ベースフレームと横フレームとを仮組み状態物とし、鉛直方向の中心軸を備えた軸体により横フレームに対しベースフレームを回転させるとともに、前記ボルトを横フレームの中空状溝部内において摺動させることにより、前後一対の横フレームを対向状態で近接するように前記仮組み状態物を折り畳み、この仮組み状態物を他の収納物とともに梱包ケースの内部に収納することを特徴とする。
【００２３】
このように構成すると、折り畳まれた仮組み状態物を梱包することにより梱包寸法を小型化することができる。また、エアコン置台として組付けるときは、梱包された仮組み状態物において、横フレームに対しベースフレームの端部を回転又は摺動させることにより、エアコン置台の略完成状態まで広げ、その後に、横フレームに対し縦フレームと支柱を取り付けることによりエアコン置台として組付けを完了することができる。したがって、全ての部品を一から組付ける場合に比し、組付け作業を簡略化することができる。
【００２４】
また、本発明に係る他のエアコン置台の梱包方法は、上記エアコン置台の梱包方法の前提としてのエアコン置台が次の点で異なる。すなわち、この場合のエアコン置台は、前記スリットが中空状溝部の上面に形成されるとともに、前記ボルトのねじ部が中空状溝部から上方に突出するように前記ボルトの頭部が中空状溝部に収納され、さらに、前記ベースフレームが、このボルトを前記軸体として横フレームに対し回動自在に保持されたものである。そして、このようなエアコン置台において、前記縦フレームと支柱とを横フレームから取り外すとともに、横フレームに対し前記ボルトによりベースフレームを半締め状態に締め付けて、ベースフレームと横フレームとを仮組み状態物とし、前記ボルトを鉛直方向の中心軸を備えた軸体として横フレームに対しベースフレームを回転させるとともに、前記ボルトを横フレームの中空状溝部内において摺動させることにより、前後一対の横フレームを対向状態で近接するように前記仮組み状態物を折り畳み、この仮組み状態物を他の収納物とともに梱包ケースの内部に収納することを特徴とするようにしてもよい。
【００２５】
このようにすると、ベースフレームを取り付けるボルトを軸体としてベースフレームを回転することができるので構造が簡略化される。また、このボルトによりベースフレームを上方から取り付けることができるので、ベースフレームの取付作業が簡単になる。また、横フレームに対するベースフレームの回動及び摺動を横フレームの上面で行うことができるので、回動及び摺動を円滑に行うことができる。
【発明の効果】
【００２６】
本発明に係るエアコン置台によれば、梱包する際に、縦フレーム、支柱及び絶縁防振材を取り外して横フレームとベースフレームとの仮組み状態物を形成し、この仮組み状態物を折り畳んで梱包を小型化することができる。また、梱包された仮組み状態物において、横フレームに対しベースフレームの端部を回転又は摺動させることによりエアコン置台の略完成状態まで広げ、その後に、横フレームに対し縦フレームと支柱を取り付けることにより置台として組付けを完了することができる。したがって、全ての部品を一から組付ける場合に比し、組付け作業を簡略化することができる。
【発明を実施するための最良の形態】
【００２７】
［概要説明］
以下、本発明を具体化した実施の形態に係るエアコン置台について図面を参照しながら説明する。なお、本明細書において左右、手前などの方向をいうときは、図１に示したエアコン置台における斜め左手前を正面とした方向をいうものとする。
【００２８】
（全体概略構造の説明）
このエアコン置台は、図１の斜視図に示すように、支柱１により上下２段に水平枠部材２が支持された２段用平置台である。水平枠部材２は、前後一対の長尺の横フレーム２０と、左右一対の短尺の縦フレーム３０と、横フレーム２０と縦フレーム３０とを連結するとともにこの連結部を支柱１に固定するためのコーナブラケット４０と、前後一対の横フレーム２０間に跨って支持される左右一対のベースフレーム５０とから形成されている。また、支柱１は、支柱フレーム１０の下部にアジャスタ１５が取り付けられたものである。
【００２９】
上記構成において、ベースフレーム５０は、端部において横フレーム２０に対し鉛直方向を軸心とするボルトにより、この実施の形態においては六角ボルト５１により、取り付けられている。このため、この六角ボルト５１による締結を緩めた仮組み状態とすることにより、ベースフレーム５０の端部は、この六角ボルト５１を軸体として横フレーム２０に対し回動自在となる。また、この六角ボルト５１は、横フレーム２０において長手方向に摺動自在に保持されている。また、縦フレーム３０及び支柱１は、ベースフレーム５０が横フレーム２０に対し固定的に取り付けられた組付品、及びベースフレーム５０が横フレーム２０に対し仮組みされた仮組み状態物に対して、それぞれ着脱自在に形成されている。
【００３０】
（小型化梱包を可能とした折り畳み機構の説明）
図２及び図３（ａ）は、このエアコン置台において、水平枠部材２から支柱１を取り外すとともに、支柱１の取り外された水平枠部材２から縦フレーム３０を取り外し、横フレーム２０に対しベースフレーム５０及びコーナブラケット４０が取り付けられた状態のものを示している。そして、このように形成された横フレーム２０とベースフレーム５０との組付品を、六角ボルト５１による締結を緩めた仮組み状態とする。そうすると、図３に示すように、当初図３（ａ）に示すような長方形状にあった物を、横フレーム２０に対しベースフレーム５０の端部を回転させたりることにより、図３（ｂ）、（ｃ）のようにエアコン載置面と平行な平面上において横フレーム２０を平行移動して折り畳み、前後一対の横フレーム２０を近接させた状態とすることができる。また、この図３（ｃ）の状態において、横フレーム２０に対しベースフレーム５０の端部の位置を摺動（すなわち、スライド）させることにより、図３（ｄ）に示すように、横フレーム２０の端部を略揃えることができる。したがって、図３（ｄ）のように折り畳むと、横フレーム２０とベースフレーム５０とを仮組みしたままの状態で極めて小型化された状態を形成することができる。図４は、横フレーム２０とベースフレーム５０とが、このように折り畳まれた状態で梱包ケース６０内に梱包されることを示したものである。
【００３１】
（開梱後の組立を容易にした組立機構の説明）
また、エアコン置台として組み立てるときは、上記のように梱包された横フレーム２０とベースフレーム５０との仮組み状態物を取り出して広げる。図５は、その途中過程における一形態を示したものであるが、ベースフレーム５０の端部が横フレーム２０に対し回動自在、かつ、長手方向にスライド可能に仮組みされているので、拡げる工程において横フレーム２０が平行状態のまま広がるとは限られず、図５のように横フレーム２０が非平行状態となり易い。しかしながら、ベースフレーム５０の端部を横フレーム２０の端部までスライドさせて仮止めするように構成しておくと、図６に示すように、一対のベースフレーム５０を左右に押し広げ、ベースフレーム５０の端部を横フレーム２０の端部まで持ってくることにより、組付け品と同形の長方形状物に形成することができる。また、このような長方形状に形成された横フレーム２０とベースフレーム５０との仮組み状態物において、コーナブラケット４０に対し、支柱１及び左右の縦フレーム３０を取り付けると、水平枠部材２が長方形状に保持される。また、このように長方形状に保持された水平枠部材２に対し、ベースフレーム５０を所定位置に移動させて固定することによりエアコン置台としての組付けが完了する。
【００３２】
［上記組付け、梱包を可能とした各部構造の詳細説明］
次に、上記のように組付け又は梱包されるエアコン置台の各部の詳細構造について、図７〜図１３に基づき説明する。ここで、図７は、水平枠部材の四隅及びベースフレーム取付部の分解斜視図である。また、図８は、水平枠部材の四隅及びベースフレーム取付部の詳細図であって、(ａ)は平面図であり、（ｂ）は（ａ）におけるＡ−Ａ断面図である。図９は、水平枠部材の四隅連結部の詳細図であって、(ａ)は平断面図であり、（ｂ）は（ａ）におけるＢ−Ｂ断面図である。図１０は、コーナブラケットの単体図面であって、（ａ）は右手前に取り付けられた状態における正面図であり、（ｂ）は同状態における平面図であり、（ｃ）は同状態における底面図であり、（ｄ）は同状態における右側面図である。図１１は、前側の横フレームの右端部の斜視図である。図１２は、前側の横フレームの右端部に取り付けられるストッパの説明図であって、（ａ）は横フレームに対するストッパの取付け状態を示す斜視図であり、（ｂ）はストッパの断面図である。図１３は、横フレームとベースフレームとの仮組み状態物を広げる工程において、ベースフレームの側部の係合部がストッパに係合する工程を示したものである。そして、同図（ａ）は、ベースフレームの側部の係合部がストッパに接触した状態図であり、同図（ｂ）は、ベースフレームの側部の係合部が持ち上げられながら横フレームの端部の方向に進む途中状態図であり、同図（ｃ）は、ベースフレームの側部の係合部とストッパとの係合部との係合が完了した状態図である。
【００３３】
（小型に折り畳み可能とした横フレームに対するベースフレーム取付部の説明）
先ず、横フレームとベースフレームとの取付け構造を説明する。そのために、横フレーム２０の主な構造について図７及び図８に基づき説明する。横フレーム２０は、図７に右前側の端部が示されるように、上部にベースフレーム５０を取り付けるためのボルトである六角ボルト５１保持用の中空状溝部２１が形成されている。また、この中空状溝部２１の下部には、コーナブラケット４０の横フレーム支持部４２を挿入してコーナブラケット４０と横フレーム２０との結合構造を形成するための略方形筒断面形状の筒状部２２が形成されている。なお、この横フレーム２０は、長手方向に押し出しされたアルミニウム又はアルミニウム合金製の押出型材からなるものであって、左右対称的、かつ、前後対称的に形成されているので前後の横フレーム２０は同一物が使用されている。
【００３４】
中空状溝部２１は、図８及び図９に示すように、六角ボルト５１の頭部５１ａを長手方向に摺動自在に収納するためのものであって、溝幅が六角ボルト５１の頭部５１ａの対向する２辺の間隔寸法と同程度の寸法に形成されている。また、この中空状溝部２１の上面には、六角ボルト５１のねじ部５１ｂを貫通させることができる程度の幅寸法を備えたスリット２３が形成されている。そして、この中空状溝部２１には、六角ボルト５１のねじ部５１ｂが中空状溝部２１からスリット２３を貫通して上方に向けて突出するように六角ボルト５１の頭部５１ａが収納されている。このようにして、ベースフレーム５０を取り付けるための六角ボルト５１が横フレーム２０に取り付けられている。
【００３５】
なお、上記のように六角ボルト５１の頭部５１ａを中空状溝部２１に挿入するには、六角ボルト５１の頭部５１ａの対向する２辺が中空状溝部２１の溝幅方向となるようにして、中空状溝部２１の端部又は中空状溝部２１の長手方向の中央に形成された上面の切欠部２３ａ（図２参照）から中空状溝部２１に挿入される。頭部５１ａが挿入された六角ボルト５１は、所定の位置までスライド式に移動される。
【００３６】
一方、ベースフレーム５０は、図７及び図８に前部が示されることから分かるように、長手方向に押し出しされた押出型材からなる物であって、略方形筒断面形状を成すとともに上面を成す上壁部５２には絶縁防振材７０（図１参照）を長手方向の任意の位置に取付け可能とするためのスリット５３が形成されている。絶縁防振材７０は、上壁部５２を上下で挟み込むように取り付けられる物であって、ベースフレーム５０の端部、または、上壁部５２の長手方向中央部に形成された切欠部５４（図２、図７参照）から挿入され、所定位置にスライドされる。また、この絶縁防振材７０の中心部にはねじ座（図示せず）が埋め込まれており、エアコンの取付片部（図示せず）を介して取付ボルト（図示せず）が上方からねじ込まれることによりエアコンが絶縁防振材７０を介してベースフレーム５０上に取り付けられる。なお、この取付ボルトは、締め付けた状態においてその先端部がベースフレーム５０の底壁部５５から突出するので、底壁部５５にはこのねじの突出を逃げるための長孔５６（図２、図７参照）が２箇所に形成されている。
【００３７】
ベースフレーム５０の前後の端部における底壁部５５には、横フレーム２０の中空状溝部２１内に頭部５１ａが収納されている六角ボルト５１のねじ部５１ｂを貫通させるための貫通孔５７が形成されている。この貫通孔５７を貫通して上方に突出する六角ボルト５１のねじ部５１ｂに対し座金５１ｃを介してナット５１ｄを締結することにより、ベースフレーム５０が横フレーム２０の上面に固定される。なお、この締結を容易にするためにベースフレーム５０の端部においては、上壁部５２及び側面を成す側壁部５８が切りかかれている。なお、切りかかれた小さな高さ寸法となった側壁部は、ベースフレーム５０を後述するストッパ８０に係止させるために小さな溝状にさらに切りかかれている。この小さな溝状の切欠５９ａが形成された部分は、図８（ｂ）に示すように、ベースフレームと５０と横フレーム２０の仮組み状態物が図６のように広げられたときにストッパ８０に係止される係止片部５９を構成する。そのために、係止片部５９を構成する溝状の幅寸法は、横フレームの２０のスリット２３の幅寸法と略同一とされている。なお、ストッパ８０及びこのストッパ８０による上記係止については詳細を後述する。
【００３８】
ベースフレーム５０は、左右対称的、かつ前後対称的に形成されているので、左右のベースフレーム５０は同一物である。また、ベースフレーム５０は、長手方向（前後方向）を押出方向としたアルミニウム又はアルミニウム合金製の型材を使用する。
【００３９】
横フレーム２０に対するベースフレーム５０の取付部は、以上のように構成されているので、六角ボルト５１に締結されるナット５１ｄを緩めて横フレーム２０に対してベースフレーム５０が仮組み状態とされたときには、基本的にベースフレーム５０の端部は、この六角ボルト５１を軸体として回動自在となる。また、横フレーム２０に対しベースフレーム５０を仮組みしている六角ボルト５１が中空状溝部２１内において長手方向に摺動自在となっている。したがって、横フレーム２０に対し支柱１及び縦フレーム３０が組み付けされていない状態において、ベースフレーム５０を取り付ける六角ボルト５１による締結を緩めた状態とすると、ベースフレーム５０の端部を回動自在かつ横フレーム２０の長手方向に対し摺動自在の構成とすることができる。このため、この状態においては、横フレーム２０の間隔を自由に狭めることが可能であるとともに、前後の横フレーム２０間の長手方向の相対位置もベースフレーム５０が仮組み状態を維持できる範囲内において自由に変化させることができる。このため、前述のような小型化された梱包状態が可能となる。
【００４０】
（縦フレーム及び支柱を着脱自在とした結合部の説明）
次に、横フレーム２０に対する縦フレーム３０および支柱１の結合部について、図７〜図１１に基づきエアコン置台の右前面の結合部を例として説明する。なお、左右の結合部は、前面側及び後面側においてそれぞれ左右対称的に構成されており、前後の結合部は、左側及び右側においてそれぞれ前後対称的に構成されている。したがって、この結合に用いられるコーナブラケット４０は、前部の左右に用いられるコーナブラケット４０が左右対象的な構造に形成され、前部右側のコーナブラケット４０と後部左側のコーナブラケット４０とは同一であり、前部左側のコーナブラケット４０と後部右側のコーナブラケット４０とは同一物である。以下この結合部の説明については、簡略化のため前面右側についてのみ説明する。
【００４１】
コーナブラケット４０は、図７〜図１０に示すように、支柱１を鉛直方向にスライド自在に挿入する所定高さの環状壁部４１を基部とするとともに、環状壁部４１から左右方向内向きに突出する横フレーム支持部４２と、環状壁部４１から前後方向内向きに突出する縦フレーム支持部４３とを備えたものである。そして、コーナブラケット４０は、高さ方向に押し出し成形された押出成型品により製作されている。
【００４２】
環状壁部４１は、図１０の平面図に示すように、内面の断面形状が支柱１を構成する支柱フレーム１０の外表面の断面形状に略一致するように形成されている。すなわち、環状壁部４１は、外側の二つの壁部４１ａ，４１ｂ、二つの壁部４１ａ，４１ｂが交差する外側角部に形成された所定半径の円弧からなる曲面状の壁部４１ｃ、内側の二つの壁部４１ｄ，４１ｅ、内側の二つの壁部４１ｄ，４１ｅが交差する位置に形成された平面状の壁部４１ｆを備えている。そして、環状壁部４１の左右方向に延びる内側の壁部４１ｄには、図７〜１０に示すように、所定幅のスリットが高さ方向に延びるスリット部４４が形成され、スリット部４４を形成する環状壁部４１の左右方向の内側の壁部４１ｄからスリット間隔を維持して略直交状に突出する一対の対向する締結片４３Ａ，４３Ｂが形成されている。
【００４３】
一対の対向する締結片４３Ａ，４３Ｂの高さ方向中心位置には、図９，１０等に示すように、締結部材としてのボルト３１により締結片４３Ａ，４３Ｂの相互間隔を狭めるように締め付けるためのボルト孔４３ａがそれぞれ１個形成されている。また、一対の締結片４３Ａ，４３Ｂを構成する内側の締結片４３Ｂの内側面には、四角ナット４５をスライド式に挿入するための一対の立上壁４６が高さ方向に延びるように形成され、その内部に四角ナット４５が収納されるととともにかしめにより固定されている。締結片４３Ａ，４３Ｂをボルト３１より締め付けると、一対の締結片４３Ａ，４３Ｂの間隔が狭められることにより、環状壁部４１の内周面が狭められる。したがって、環状壁部４１に挿通された支柱フレーム１０とコーナブラケット４０とが結合される。なお、上述のコーナブラケット４０は、高さ方向を押出方向としたアルミニウム又はアルミニウム合金製の押出型材が使用されている。
【００４４】
また、前述の一対の締結片４３Ａ，４３Ｂは、縦フレーム３０を取り付けるための縦フレーム支持部４３を構成する。縦フレーム３０は、図７及び図９に示すように、上壁、側壁及び下壁からなる断面コの字型に形成されたものであって、側壁の端部には、上記締結片４３Ａ，４３Ｂにボルト止めするためのボルト孔３２が形成されている（図７参照）。このボルト孔３２は、縦フレーム３０の端面がコーナブラケット４０の環状壁部４１の外周面に当接するように位置が設定されている。そして、縦フレーム３０は、側壁の内面が外側の締結片４３Ａの外面に当接され、さらに、側壁が締結片４３Ａ，４３Ｂに対し座金３３を介しボルト止めされるが、このボルトと、前述の一対の対向する締結片４３Ａ，４３Ｂを締め付けるためのボルトとは兼用されている。なお、縦フレーム３０は、長手方向（前後方向）を押出方向としたアルミニウム又はアルミニウム合金製の押出型材が使用されているものであって、前後対称的に形成されているので左右の縦フレーム３０は同一の物が使用とされている。
【００４５】
また、コーナブラケット４０の基部を成す環状壁部４１の左右方向の内側には、図７〜図１０に示すように横フレーム２０の筒状部２２の内側幅寸法と略同一幅であり、かつ、図９（ｂ）に示すように、筒状部２２の内側高さ寸法と略同一の高さ寸法である横フレーム支持部４２が環状壁部４１から突出するように一体的に形成されている。横フレーム支持部４２は、平面視略長方形の、高さ方向に延びる二つの貫通孔が左右方向に並んで形成されたれた中空状であって、二つの貫通孔の仕切り壁部４２ａと先端壁部４２ｂの中央部には、平面断面が部分円形を成す、高さ方向に延びる溝部４２ｃが形成されている。この溝部４２ｃは、横フレーム２０を取り付けるタッピングねじ２４を螺合するためのものである。この溝部４２ｃに対応して、横フレーム２０の筒状部２２の下面を成す壁部には、タッピングねじ２４を挿通させるための貫通孔２５が形成されている（図７〜９，図１１参照）。このようにして、横フレーム２０とコーナブラケット４０とは、タッピングねじ２４が貫通孔２５からコーナブラケット４０の溝部４２ｃにねじ込まれることにより固定されている。また、図１１に示すように、横フレーム２０の貫通孔２５の長手方向中央よりには水抜き孔２６が形成されている。この水抜き孔２６は、横フレーム２０の筒状部内に侵入した雨水等の水を排出するためのものである。
【００４６】
また、支柱１を構成する支柱フレーム１０は、図１，７，９等に示すように、長手方向に押し出された筒状のアルミニウム又はアルミニウム合金製の押出型材であって、その断面形状がコーナブラケット４０の環状壁部４１の内周面の形状と略同一に形成されている。また、支柱１は、支柱フレーム１０が環状壁部４１に対し所定位置まで挿入され状態で、コーナブラケット４０の締結片４３Ａ，４３Ｂが縦フレーム３０の取付けを兼用するボルト３１が締め付けられることにより、コーナブラケット４０と支柱１とが所定高さ位置で固定される。また、四隅の支柱１の挿入高さ位置を容易に一致させることができるように、支柱フレーム１０の左右方向の外側面を成す壁部における上方部及び下方部に、位置決め用のタッピングねじ１１を取付るための下孔１２が一定の間隔で複数個形成されている（図１参照）。そして、コーナブラケット４０の環状壁部４１の外側の側面に位置する壁部４１ｂには、このタッピングねじ用の貫通孔４７が形成されている。なお、支柱１の上部には、水やごみの侵入を防止するとともに見栄えを良好にするために樹脂製のキャップ１８が取り付けられている。
【００４７】
本実施の形態のエアコン置台においては、横フレーム２０に対する支柱１及び縦フレーム３０の結合部が以上のように構成されているので、横フレーム２０に対しベースフレーム５０が取り付けられた状態においてボルト３１を取り外すと、縦フレーム３０が取り外される。また、このようにボルト３１を取り外すことにより環状壁部４１による支柱フレーム１０を締め付ける締付力が解除される。したがって、上下２段の水平枠部材２において、以上のようにして縦フレーム３０を取り外した後、位置決め用のタッピングねじ１１を取り外すことにより、横フレーム２０に対しベースフレーム５０が取り付けられた状態において、支柱１を取り外すことができる。なお、このように縦フレーム３０及び支柱１を取り外すことができるのは、横フレーム２０に対しベースフレーム５０が緩く固定されて取り付けられている場合においても同様である。
【００４８】
次に、前述のように、横フレーム２０に対しベースフレーム５０が仮組みされた仮組み状態物に対して、支柱１とベースフレーム５０とを取り付けるときは、横フレーム２０の端部に取り付けられたコーナブラケット４０の基部を成す環状壁部４１に対し支柱１を挿入し、所定位置において位置決め用のタッピングねじ１１を締結する。このようにして上下２段のコーナブラケット４０に対し支柱１を挿入し位置決めを行った後、エアコン置台の外側部から縦フレーム３０をコーナブラケット４０の縦フレーム支持部４３を覆うように押し当ててボルト３１を締結する。このようにして縦フレーム３０が最終的に取り付けられるとともに、環状壁部４１の締付力により支柱１が確実にコーナブラケット４０に固定される。
【００４９】
(組立容易化のためのベースフレーム脱落防止、仮止め機構の説明)
次に、ベースフレーム５０と横フレーム２０の仮組み状態物を梱包状態に折り畳む作業や、開梱時において梱包時の折り畳み状態（図４参照）からエアコン置台として完成状態へ拡げる作業のときに、ベースフレーム５０及びこのベースフレーム５０を取り付ける六角ボルト５１が横フレーム２０から外れないようにする必要がある。また、ベースフレーム５０と横フレーム２０の仮組み状態物を長方形状に容易に拡げられるようにする必要がある。このため、図７に示すように、横フレーム２０の中空状溝部２１の端部には、ベースフレーム５０の脱落防止及び仮止めするための仮止め機構を構成する別体物のストッパ８０が設けられている。以下このストッパ８０の構造について、図７、図１２及び図１３に基づき説明する。図１２は、横フレームの端部に取り付けられるストッパの分解組立図であり、図１３は、ストッパによりベースフレームを仮止めする工程図である。
【００５０】
ストッパ８０は、樹脂一体成型品であって、横フレーム２０の中空状溝部２１の端部に取り付けられるように構成されている。このために、ストッパ８０は、横フレーム２０の中空状溝部２１に挿入される挿入部８１と横フレーム２０上面のスリット２３から上方に突出する、ベースフレーム５０のスライド移動を規制するための規制部８２とに構成されている。挿入部８１は、中空状溝部２１の上壁の内面に接する平面接触部８１ａ、中空状溝部２１の側壁の内面に接する側面壁部８１ｂ及び中空状溝部２１の底壁の内面に接触する下面壁部８１ｃを備えている。この中空状溝部２１の底壁は、中空状溝部２１と筒状部２２との境界壁をなすものである。なお、下面壁部８１ｃは平面接触部８１ａの左側（横フレーム２０の長手方向中央側）端において下方に垂下する壁部８１ｄの下端から右側（横フレーム２０の長手方向の端部側）へ折れ曲がったものである。また、平面接触部８１ａの前後方向の中央部は、スリット２３の幅寸法と略同一に形成されて上方に２段階に突出したものであって、低段側突出面部８１１ａと高段側突出面部８１２ａとを備えている。また、低段側突出面部８１１ａと高段側突出面部８１２ａとの境界部は傾斜面８１３ａにより連結されている。
【００５１】
側面壁部８１ｂの上方部は壁の肉厚を厚くした厚肉部８１１ｂに形成され、側方に突出するように形成されている。したがって、厚肉部８１１ｂの外形幅寸法は、側面壁部８１ｂの下方部の外形幅寸法より大きくなっている。また、横フレーム２０の中空状溝部２１の側壁には、図１２（ａ）に示すように、この厚肉部８１１ｂの幅寸法に対応した段部２１ａが形成されている。
【００５２】
また、下面壁部８１ｃの先端部は、図１２（ｂ）に示すように、先端部の肉厚を厚くすることにより下面が突出する突出部８１ｅに形成されている。そして、この突出部８１ｅは、ストッパ８０が横フレーム２０の端部から挿入されたときに、横フレーム２０の中空状溝部２１と筒状部２２との境界壁に形成された係合穴部２１ｂに弾力的に係合するように形成されている。このように構成された係合機構により、横フレーム２０の端部に挿入されたストッパ８０が容易に脱落しないように構成されている。
【００５３】
規制部８２は、横フレーム２０の端部から垂直に立ち上がる立上壁部８２ａと、立上壁部８２ａの上端から横フレーム２０の中央部に向けて水平に延びる水平壁部８２ｂと、水平壁部８２ｂの端部から垂直に立ち上がる規制壁部８２ｃとを備えている。規制壁部８２ｃは、開梱後の組立のための作業においてベースフレーム５０が図６のように横フレーム２０の端部へ移動させる際に、その過程においてベースフレーム５０の側面が規制壁部８２ｃに当接し、図６の状態への移動を助長するものである。また、ベースフレーム５０が図６のように横フレーム２０の端部に移動されたときにストッパ８０により仮止めするための構成として、前述の高段側突出面部８１２ａ及び傾斜面８１３ａが形成されている。また、規制壁部８２ｃと水平壁部８２ｂとの角部が下方に突出する係止突起部８２ｄとして形成されるとともに、係止突起部８２ｄの端部側が上方に傾斜する傾斜面８２ｅにより水平壁部８２ｂの下面に連結されている。
【００５４】
下方の傾斜面８１３ａは、ベースフレーム５０が図６のような横フレーム２０の端部へ移動されるときに、図１３に示すようにベースフレーム５０の下面を持ち上げ、係止突起部８２ｄ、水平壁部８２ｂ、立上壁部８２ａ及び高段側突出面部８１２ａにより形成される凹部８３内にベースフレーム５０の係止片部５９を案内するガイドの機能を成す。このように、ベースフレーム５０の係止片部５９が凹部８３内に位置することにより、ベースフレーム５０と横フレーム２０との左右方向の相対位置関係が規制される。また、このとき係止突起部８２ｄが係止片部５９を構成する切欠５９ａに嵌るように構成されているので、ベースフレーム５０と横フレーム２０との前後方向の相対位置関係が規制される。また、上部の傾斜面８２ｅは、ストッパ８０による係止片部５９の係止を解く場合に、即ち、ベースフレーム５０と横フレーム２０との仮組み状態物を図６のように広げ、これに対し支柱１及び縦フレーム３０を取り付けた後、ベースフレーム５０を中央よりの所定位置に移動させる場合に、係止片部５９の係止を解き易くするものである。
【００５５】
ストッパ８０によるベースフレーム５０の脱落防止及び仮止め機構が以上のように構成されているので、開梱後の組付け作業において、横フレーム２０とベースフレーム５０とが仮組みされた仮組み物を広げるときに、ベースフレーム５０を左右の手で握って左右に押し広げると、図６のような長方形状を得ることができる。なお、この過程において図５のような歪な四角形状態となり、さらに、この歪な形のときにベースフレーム５０が横フレーム２０の端部の方に移動することがあり得るが、このときは、ベースフレーム５０の側壁部５８がストッパ８０の規制壁部８２ｃに当接する。また、ベースフレーム５０の側壁部５８がストッパ８０の規制壁部８２ｃに当接することにより、歪な四角形状が図６のような長方形状に是正される。
【００５６】
また、横フレーム２０とベースフレーム５０との仮組み状態物が図６のような長方形状を成す位置に移動するときに、図１３（ａ）〜（ｃ）の工程を経て仮止めされる。すなわち、横フレーム２０とベースフレーム５０との仮組み状態物が図６のような長方形状を成す位置に近づいたときに、図１３（ａ）〜（ｂ）に示すように、ベースフレーム５０の底壁部５５の側部がストッパ８０の下方の傾斜面８１３ａにガイドされて上方に持ち上げられながら凹部８３に導かれる。これにより、図１３（ｃ）に示すように、係止片部５９は、上端部がストッパ８０の係止突起部８２ｄの下端位置より上方に位置することにより、力を加えずには凹部８３から抜け出すことができなくなる。すなわち、ベースフレーム５０と横フレーム２０との左右方向の相対位置関係が規制される。また、このとき、係止突起部８２ｄが係止片部５９を構成する切欠５９ａに嵌るように構成されているので、ベースフレーム５０と横フレーム２０との前後方向の相対位置関係も規制される。このようにして、左右一対のベースフレーム５０を左右に広げる作業を行うことにより、ベースフレーム５０が横フレーム２０の端部に位置する状態にされるとともに、その位置で仮止めされる。
【００５７】
したがって、横フレーム２０とベースフレーム５０との仮組み状態物の四隅がこの状態に仮止めされることにより、図６のような長方形状が維持されるので、横フレーム２０の端部に取り付けられたコーナブラケット４０を介し、支柱１及び縦フレーム３０を横フレーム２０に対し容易に結合することができる。また、上下２段の水平枠部材２が組み付けされるとともに、支柱１が水平枠部材２の四隅に取り付けられることにより、エアコン置台の基本形状が完成する。また、完成したエアコン置台に対し、エアコンを取り付けるときは、ベースフレーム５０を水平枠部材２上で所定の位置に移動し、座金５１ｃを介してナット５１ｄを締め付けることにより、ベースフレーム５０を横フレーム２０に対し所定位置に固定してエアコンを取り付けることができる。
【００５８】
本実施の形態における横フレーム２０からベースフレーム５０又はベースフレーム５０を仮止めする六角ボルト５１が脱落するのを防止するための仮止め機構は、以上のように構成されている。したがって、この仮止め機構は、横フレーム２０とベースフレーム５０との仮組み状態物を、組付け状態に拡げる際ば勿論のこと梱包状態に折り畳む際においても、ベースフレーム５０及びベースフレーム５０を仮組みしている六角ボルト５１が横フレーム２０から脱落することを防止することができる。
【００５９】
以上のように構成された本実施の形態に係るエアコン置台によれば次の効果を奏することができる。
（１）横フレーム２０に対しベースフレーム５０を取り付ける六角ボルトによる締結を緩めると、横フレーム２０とベースフレーム５０とは、ベースフレーム５０の端部が横フレーム２０の長手方向に摺動自在であり、かつ鉛直方向の締結部材を軸体として平面上で回動可能に保持される仮組み状態物に形成される。したがって、六角ボルトを軸体としてベースフレーム５０の端部を回動させることにより、一対の横フレーム２０の相互間隔を最小とするように前記仮組み状態物を折り畳むことができる。また、ベースフレーム５０の端部を横フレーム２０の長手方向に摺動させることにより、横フレーム２０の端部の位置を揃える方向に前記仮組み状態物を変形させることができる。このようにして、一対のベースフレーム５０と一対の横フレーム２０との仮組み状態物を小型化して梱包ケース６０に収納することができ、その周囲空間部に支柱１、ベースフレーム５０に取り付けられる絶縁防振材７０等を収納し梱包寸法を小型化することができる。
【００６０】
（２）また、この実施の形態においては、六角ボルト５１の頭部５１ａが横フレーム２０の中空状溝部２１内に回転不能に収納され、六角ボルト５１のねじ部５１ｂが中空状溝部２１の上面のスリット２３から上方に突出するように取り付けられている。したがって、ベースフレーム５０を取り付ける六角ボルト５１を軸体としてベースフレーム５０を回転することができるので構造が簡略化される。また、六角ボルト５１によりベースフレーム５０を上方から取り付けることができるので、ベースフレーム５０の取付作業が簡単になる。
【００６１】
（３）また、横フレーム２０は、中空状溝部２１及びスリット２３が長手方向に縦貫するように形成された、長手方向を押し出し方向とする押出型材により形成されているので、長手方向に中空状溝部及びスリットが形成されているにも拘わらず必要な強度を維持することができる。また、横フレーム２０に対するベースフレーム５０の回動及び摺動を横フレーム２０の上面で行うことができるので、回動及び摺動を円滑に行うことができる。
【００６２】
（４）また、横フレーム２０は、中空状溝部２１の下部に、略方形断面形状の筒状部２２が形成され、この筒状部２２において、横フレーム２０に対し縦フレーム３０と支柱１とを取り付けるためのコーナブラケット４０が取り付けられている。したがって、筒状部２２により横フレーム２０の強度を向上させることができ、中空状溝部２１の上面を平面状に形成することができる。これにより、横フレーム２０の上面に取り付けられるベースフレーム５０の回転や移動を円滑に行うことができる。
【００６３】
（５）また、横フレーム２０の中空状溝部２１の端部に、ベースフレーム５０を仮組み状態に保持するボルトの脱落を防止するためのストッパが設けられているので、梱包時の作業及び開梱後の組み付け作業においてボルトの脱落が防止され、安心して作業を行うことができるとともに、作業性を向上させることができる。
【００６４】
（６）また、横フレーム２０の端部に取り付けられるストッパ８０は、横フレーム２０の中空状溝部２１に挿入されて取り付けられる別体物であるが、挿入の際に中空状溝部２１を構成する壁部と係合するように構成されているので、ストッパ８０自体の脱落を防止することができる。
【００６５】
（７）また、横フレーム２０に対しベースフレーム５０が仮組みされた状態物は、一対のベースフレーム５０の間隔を横フレームの端部まで押し広げるときに、ストッパ８０によりベースフレーム５０の脱落が防止されるとともに組付け完了時と同形の長方形状に広げられる。また、ストッパ８０とベースフレーム５０との間には、このように長方形状に広げられたときに、ベースフレーム５０をその位置に仮止めする仮止め機構が形成されている。したがって、このときに、ベースフレーム５０の間隔を押し広げる力を緩めたり、その手をベースフレーム５０から離してもこの長方形状が維持される。このため、支柱１をコーナブラケット４０の環状壁部４１に挿入したり、縦フレーム３０をコーナブラケット４０の縦フレーム支持部に取り付けたりする作業が容易になる。
【００６６】
（８）また、コーナブラケット４０は、支柱１を固定する基部と、基部から左右方向の内向きに突出する横フレーム２０を取り付けるための横フレーム支持部４２とを備えるとともに、横フレーム支持部４２が横フレーム２０の筒状部２２に挿入されて結合されている。したがって、コーナブラケット４０の横フレーム支持部４２が横フレーム２０内に収納されるので見栄えが良好になるとともに、横フレーム２０とコーナブラケット４０との結合強度を向上させることができる。
【００６７】
（９）また、コーナブラケット４０は、基部から前後方向内向きに突出する縦フレーム３０を取り付けるための縦フレーム支持部４３を備えているので、横フレーム２０に対しベースフレーム５０とコーナブラケット４０とが取り付けられた状態で縦フレーム３０を着脱自在に取り付けることができる。
【００６８】
（１０）また、コーナブラケット４０は、基部が支柱１を鉛直方向にスライド自在に挿入する環状壁部４１に形成され、環状壁部４１には高さ方向のスリット有するスリット部４４が形成され、さらに、スリット部４４において壁面からスリットの間隔を維持して略直交状に突出する一対の対向する締結片４３Ａ，４３Ｂが形成されている。また、コーナブラケット４０は、締結部材としてのボルト３１により一対の締結片４３Ａ，４３Ｂ間の間隔寸法を狭めるように締め付けられると、環状壁部４１において支柱１と結合される。したがって、横フレーム２０に取り付けられたコーナブラケット４０の環状壁部４１内に支柱１を挿入して、締結片４３Ａ，４３Ｂ間に架け渡されたボルト３１を締結することにより、ベースフレーム５０が取り付けられた横フレーム２０に対し、コーナブラケット４０を介し支柱１を容易に取り付けることができる。また、このボルト３１を緩めることにより、コーナブラケット４０が横フレーム２０に取り付けられた状態のまま、コーナブラケット４０から支柱１を容易に取り外すことができる。
【００６９】
（１１）また、コーナブラケット４０の一対の締結片４３Ａ，４３Ｂは、環状壁部４１から前後方向の内向きに突出するように形成され、縦フレーム支持部４３として兼用されている。このため、ベースフレーム５０が取り付けられた横フレーム２０に対し、コーナブラケット４０を介し縦フレーム３０及び支柱１を容易に取り付けたり、取り外したりすることができる。また、支柱１を取り付けるための機構と縦フレーム３０を取り付けるための縦フレーム支持部４３とが兼用されるので構造が簡略化される。
【００７０】
（１２）また、縦フレーム３０は、上壁、下壁及び側壁からなる断面コ字状に形成されるととともに、コーナブラケット４０の締結片４３Ａ，４３Ｂを覆うように組み合わされるとともに、締結片４３Ａ，４３Ｂを締め付けるボルト３１により共締めされている。したがって、ベースフレーム５０が取り付けられた横フレーム２０に対する縦フレーム３０及び支柱１の取付部材が簡略化されるとともに、単一の締結部材の締付又は弛緩作業により縦フレーム３０と支柱１との取付け又は取外しを行うことができる。また、この取付け又は取外し作業をエアコン置台の外側から行うことができるので作業が容易になる。
【００７１】
（１３）この実施の形態に係る梱包方法によれば、前記のように組付けされたエアコン置台において、縦フレーム３０と支柱１とを横フレーム２０から取り外すとともに、ベースフレーム５０を取り付ける六角ボルト５１による締結を緩めてベースフレーム５０を横フレーム２０に対して仮組みされた仮組み状態物を形成する。そして、ベースフレーム５０を取り付ける六角ボルト５１を鉛直方向の中心軸を備えた軸体としてベースフレーム５０を回転させるとともにこの締結部材を横フレーム２０に対して摺動させることにより、一対の横フレーム２０が対向状態で近接するとともに、長さ方向において端部が略揃うようにこの仮組み状態物を折り畳むことができる。したがって、この折り畳まれた仮組み状態物を梱包することにより梱包寸法を小型化することができる。また、エアコン置台として組付けるときは、梱包された仮組み状態物において、横フレーム２０に対しベースフレーム５０の端部を回転又は摺動させることにより、エアコン置台の略完成状態まで広げ、その後に、横フレーム２０に対し縦フレーム３０と支柱１を取り付けることによりエアコン置台として組付けを完了することができる。したがって、全ての部品を一から組付ける場合に比し、組付け作業を簡略化することができる。
【００７２】
（１４）また、この実施の形態に係る梱包方法によれば、エアコン置台は、スリット２３が中空状溝部２１の上面に形成されるとともに、六角ボルト５１のねじ部５１ｂが中空状溝部２１から上方に突出するように六角ボルト５１の頭部５１ａが中空状溝部２１に収納されている。また、ベースフレーム５０は、六角ボルト５１を軸体として横フレーム２０に対し回動自在に保持されている。したがって、ベースフレーム５０を取り付ける六角ボルト５１を軸体としてベースフレーム５０を回転させる構造が簡略化される。また、六角ボルト５１によりベースフレーム５０を上方から取り付けることができるので、ベースフレーム５０の取付作業が簡単になる。また、横フレーム２０に対するベースフレーム５０の回動及び摺動を横フレーム２０の上面で行うことができるので、回動及び摺動を円滑に行うことができる。また、六角ボルト５１にナット５１ｄを締め付けるときには六角ボルト５１を保持する必要がないときには、組み付け作業が簡略化される。
（変形例）
以上説明した本実施の形態に係るエアコン置台は、一例を示すものであり、本発明の範囲内において適宜変更できるものである。例えば、次のように変形することができる。
【００７３】
・上記実施の形態は２段用平置台に形成されているが、図１４に示すように１段用平置台として形成してもよい。また、他の複数段の平置台として形成することも可能である。
・横フレーム２０に対しベースフレーム５０を取り付ける締結部材して六角ボルト５１が使用されているが、他のボルトとしてもよい、例えば、このボルトの頭部を正四角形などの四角形としてもよい。
【００７４】
・また、ストッパ８０は、上記のような別体物ではなく、横フレーム２０の中空状溝部２１を構成する壁部の一部を内側に突出させてボルトの頭部が端部から脱落することを防止するように構成したものとしてもよい。図１５及び図１６は、これを具体的に示したものであって、横フレーム２０の中空状溝部２１と筒状部２２との境界壁の一部を上方に切り起し、この切起し片をストッパ９１としたものである。また、ボルトとしては四角ボルト９２が使用されている。そして、切起し片からなるストッパ９１は、四角ボルト９２を中空状溝部２１の端部から挿入した後、機械加工されて形成されている。また、このように四角ボルト９２が挿入されているので、この変形例においては、前述の横フレーム２０の上面における切欠部２３ａも省略されている。
【００７５】
ストッパ９１は、図１５に示すように、切起し片の端部で四角ボルト９２の頭部の移動を規制している。したがって、この場合も前述の場合と同様に、開梱後の組付け作業において、横フレーム２０とベースフレーム５０とが仮組みされた仮組み物を広げるときに、ベースフレーム５０を左右の手で握って左右に押し広げると、図６のような長方形状を得ることができる。ただし、この場合のストッパ９１は、前述のストッパ８０のように仮止めを行う機能は備えていないので、ベースフレーム５０を左右一杯に拡げた後にベースフレーム５０から手を離すと、ベースフレーム５０が横フレーム２０の端部から移動する可能性がある。なお、ストッパ９１のための折曲片は、中空状溝部２１の側壁や上面壁に形成してもよい。
【００７６】
・コーナブラケット４０の一対の締結片４３Ａ，４３Ｂの内側の締結片の内側の面に四角ナット４５が取り付けられているが、このように四角ナット４５を予め取り付けないで、独立のナットにより締結片４３Ａ，４３Ｂの内側の面からナット掛けするようにしてもよい。
【００７７】
・横フレーム２０に対しコーナブラケット４０を介して支柱１及び縦フレーム３０を結合しているが、横フレーム２０に対し直接的に取り付ける構造としてもよい。また、この場合に、支柱１の断面形状や縦フレーム３０の断面形状を、横フレーム２０に対し直接的に取り付ける他の形状としてもよい。
【００７８】
・ベースフレーム５０の脱落防止の機構として樹脂一体成形された独立部材のストッパ８０が用いられているが、これに代えて、横フレーム２０の中空状溝部２１を形成する壁部の端部を変形させて脱落防止を行なう構造とすることも可能である。
【図面の簡単な説明】
【００７９】
【図１】本発明の実施の形態１に係るエアコン置台の斜視図である。
【図２】同エアコン置台において、支柱及び縦フレームを取り外した横フレームとベースフレームとの組付け品の斜視図である。
【図３】同組付け品の折り畳み工程図であり、（ａ）は図２の状態の平面図であり、（ｂ）及び（ｃ）は折り畳み工程における途中状態図であり、（ｄ）は最終状態図である。
【図４】同エアコン置台の梱包状態図である。
【図５】同エアコン置台において、梱包された横フレームとベースフレームとの仮組み状態物を広げる工程の途中状態図である。
【図６】同エアコン置台において、梱包された横フレームとベースフレームとの仮組み状態物を長方形状まで拡げた状態図である。
【図７】同エアコン置台における水平枠部材の四隅及びベースフレーム取付部の分解斜視図である。
【図８】同エアコン置台における水平枠部材の四隅及びベースフレーム取付部の詳細図であって、(ａ)は平面図であり、（ｂ）は（ａ）におけるＡ−Ａ断面図である。
【図９】同エアコン置台における水平枠部材の四隅連結部の詳細図であって、(ａ)は平断面図であり、（ｂ）は（ａ）におけるＢ−Ｂ断面図である。
【図１０】同エアコン置台におけるコーナブラケットの単体図面であって、（ａ）は右手前に取り付けられた状態における正面図であり、（ｂ）は同状態における平面図であり、（ｃ）は同状態における底面図であり、（ｄ）は同状態における右側面図である。
【図１１】同エアコン置台における前側の横フレームの右端部の斜視図である。
【図１２】同エアコン置台における前側の横フレームの右端部に取り付けられるストッパの説明図であって、（ａ）は横フレームに対するストッパの取付け状態を示す斜視図であり、（ｂ）はストッパの断面図である。
【図１３】同エアコン置台における梱包された横フレームとベースフレームとの仮組み状態物を広げる工程において、ベースフレームの側部の係合部がストッパに係合する工程を示したものであり、（ａ）は、ベースフレームの側部の係合部がストッパに接触した状態図であり、（ｂ）は、ベースフレームの側部の係合部が持ち上げられながら横フレームの端部の方向に進む途中状態図であり、（ｃ）は、ベースフレームの側部の係合部とストッパとの係合部との係合が完了した状態図である。
【図１４】変形例に係るエアコン置台の斜視図である。
【図１５】他の変形例に係るエアコン置台のストッパ周りの詳細図である。
【図１６】同変形例に係るエアコン置台の横フレーム端部の平面図である。
【図１７】従来例に係るエアコン置台の斜視図である。
【図１８】同エアコン置台を梱包する際の折り畳み工程図であり、（ａ）は開始状態図であり、（ｂ）は支柱折り畳み状態図であり、（ｃ）は最終状態図である。
【符号の説明】
【００８０】
１…支柱、２０…横フレーム、２１…中空状溝部、２２…筒状部、２３…スリット、３０…縦フレーム、３１…（締結部材としての）ボルト、４０…コーナブラケット、４１…（基部を成す）環状壁部、４２…横フレーム支持部、４３…縦フレーム支持部、４３Ａ，４３Ｂ…（一対の）締結片、４４…スリット部、５０…ベースフレーム、５１…（ボルトとしての）六角ボルト、５１ａ…（六角ボルトの）頭部、５１ｂ…（六角ボルトの）ねじ部、６０…梱包ケース、８０，９１…ストッパ。
【図１】
2010145004.tif 000003
【図２】
2010145004.tif 000004
【図３】
2010145004.tif 000005
【図４】
2010145004.tif 000006
【図５】
2010145004.tif 000007
【図６】
2010145004.tif 000008
【図７】
2010145004.tif 000009
【図８】
2010145004.tif 000010
【図９】
2010145004.tif 000011
【図１０】
2010145004.tif 000012
【図１１】
2010145004.tif 000013
【図１２】
2010145004.tif 000014
【図１３】
2010145004.tif 000015
【図１４】
2010145004.tif 000016
【図１５】
2010145004.tif 000017
【図１６】
2010145004.tif 000018
【図１７】
2010145004.tif 000019
【図１８】
2010145004.tif 000020